(57)【要約】      （修正有）【課題】様々な大きさの仏像に適する棚の高さに調整することができ、黒檀や紫檀等の高級木材から造られる仏壇にふさわしい仏壇を提供する。【解決手段】少なくとも背板部２及び左右の側板部３を有する仏壇であって、背板部の前側であって左右方向中央域に、左右方向が短手で上下方向が長手の平板状で平面視で角を円弧状に形成した仏像用背板４を設け、左右それぞれの側板部を、側板部と前後方向の長さが同じ側面部６と、側面部の内側に側面部より前後方向の長さが短い溝形成部５とからなる構成とし、溝形成部は、略水平状に嵌設する棚板１０の両端部を嵌入可能な溝７を上下方向に複数形成し、正面視で溝の前端部が露出するように側面部より内側に突出しており、平面視で前端部の角形状が円弧状である。【選択図】図４
0003217643.tif 000002
【実用新案登録請求の範囲】
【請求項１】
少なくとも背板部及び左右の側板部を有する仏壇であって、
背板部の前側であって左右方向で中央域に、左右方向が短手で上下方向が長手の平板状で平面視で角を円弧状に形成した仏像用背板を設け、
左右のそれぞれの側板部を、前記側板部と前後方向の長さが同じ側面部と、前記側面部の内側に前記側面部より前後方向の長さが短い溝形成部との構成とし、
前記溝形成部は、略水平状に嵌設する棚板の両端部を嵌入可能な溝を上下方向に複数を形成し、正面視で前記溝の前端部が露出するように前記側面部より内側に突出しており、平面視で前端部の角形状が円弧状であることを特徴とする仏壇。
【請求項２】
前記仏像用背板が、短手方向の幅を前記仏壇に収納可能な仏像の左右幅以上とし、上下方向の長さを前記背面板の上端から下端までの長さとすることを特徴とする請求項１に記載の仏壇。
【請求項３】
前記棚板が、平面視で中央部に左右方向の長さを前記仏像用背板の横幅超とし前後方向の長さを前記仏像用背板の厚み超とする凹部を後縁辺に形成した平板であることを特徴とする請求項１又は２に記載の仏壇。
【請求項４】
前記溝形成部の前端の位置を、平面視で前記側面部の前端より後方に間隔を空けた位置とすることを特徴とする請求項１〜３のいずれかに記載の仏壇。
【考案の詳細な説明】
【技術分野】
【０００１】
本考案は、仏像や仏具を安置する仏壇に関する。
【背景技術】
【０００２】
特許文献１には、前面に開口部を有する筐体と、前記筐体内部の背面に複数の棚を係合できる溝を有し、前記溝が前記棚の左右方向の位置を変えることができるように左右方向に連続して延び、前記溝は、前記棚の高さ方向の位置を変えることができるように、高さ方向に複数設けられ 、前記溝が、前記背面における左右方向で前記棚がスライドできるように形成されている仏壇が開示されている。さらに、前記筐体内部の側面に複数の棚を係合できる溝をさらに有し、前記側面に設けられた溝が 、前記棚の奥行方向の位置を変えることができるように奥行方向に連続して延び、前記棚の高さ方向の位置を変えることができるように、高さ方向に複数設けられ、前記側面に設けられた溝が、前記側面における奥行方向で前記棚がスライドできるように形成されている仏壇が開示されている。
【先行技術文献】
【特許文献】
【０００３】
【特許文献１】実用新案登録第３２０２７７６号公報
【考案の概要】
【考案が解決しようとする課題】
【０００４】
特許文献１の仏壇は、背面や側面の壁板自体の平らな表面に溝を上下方向で複数段設け、前記溝に係合させた棚を左右方向や奥行方向にスライド可能にする技術である。背面の上下方向で中央部に左右方向全域にわたる溝を複数段設けているので、仏像を安置したときに仏像の背景に多数の溝が丸見えのため、仏像の背景が仏教の信仰対象である仏の姿を表現した像である仏像にはふさわしくない粗末な印象を与えるという問題があった。
【０００５】
また、片持ちで棚を保持するために棚と溝とを係合させると記載されている。このような係合手段を設けることは製造費用が高くなり、かつ頻繁に棚を差し替えすると係合手段が劣化して破損する危険がある。片持ちで棚を保持する構造のため係合手段が破損すると修理コストが高くつくという問題もあった。また、溝と棚を係合手段で係合させるときに棚の表面にキズがつく危険性があるという問題もあった。
【０００６】
また、特許文献１の段落[００１９]には、溝はパネルユニットに形成されて組立てられており、パネルユニットはアルミ製とし光を反射させることが記載されている。アルミ製の壁面であると商品棚に並べた商品を照らすような単に明るい光の反射を得ることはできるが、黒檀や紫檀等の高級木材が反射する黒光りを得ることができない。このため、黒檀や紫檀等の高級木材から造られる仏壇にはアルミ製の溝は不適であるという問題があった。
【０００７】
また、特許文献１の段落[００２０]には、溝はパネルユニット又は背面に直接に形成と記載されており、段落[００１４]に溝は仏壇の後方に向かって凹状に形成されていると記載されている。そうすると、特許文献１の図６に示すように溝は側面の表面から奥に向かって形成されているので溝の前端の凹状箇所を枠体で覆う形態となるので、左右方向で左右の側面間の長さを有する棚を斜め方向にしてからでないと嵌入することができないという問題があった。このような斜め方向にして棚を嵌入することを繰り返していると棚の表面や溝の表面にキズが発生しやすいという問題があり、前記キズが発生しやすいことにより特許文献１に記載の溝を黒檀や紫檀等の高級木材から造られる仏壇には採用できにくいという問題があった。
【０００８】
本考案はこうした問題に鑑み創案されたもので、様々な大きさの仏像に適する棚の高さに調整することができ、棚を前方から真っ直ぐにした状態で嵌入でき、黒檀や紫檀等の高級木材から造られる仏壇にふさわしく、仏像を安置するにふさわしい背景を得ることができ、仏壇の内部の荘厳さを感じさせる仏壇を提供することを課題とする。
【課題を解決するための手段】
【０００９】
請求項１に記載の仏壇は、少なくとも背板部及び左右の側板部を有する仏壇であって、背板部の前側であって左右方向で中央域に、左右方向が短手で上下方向が長手の平板状で平面視で角を円弧状に形成した仏像用背板を設け、左右のそれぞれの側板部を、前記側板部と前後方向の長さが同じ側面部と、前記側面部の内側に前記側面部より前後方向の長さが短い溝形成部との構成とし、前記溝形成部は、略水平状に嵌設する棚板の両端部を嵌入可能な溝を上下方向に複数を形成し、正面視で前記溝の前端部が露出するように前記側面部より内側に突出しており、平面視で前端部の角形状が円弧状であることを特徴とする。
【００１０】
請求項２に記載の仏壇は、請求項１において、前記仏像用背板が、短手方向の幅を前記仏壇に収納可能な仏像の左右幅以上とし、上下方向の長さを前記背板部の上端から下端までの長さとすることを特徴とする。
【００１１】
請求項３に記載の仏壇は、請求項１又は２において、前記棚板が、平面視で中央部に左右方向の長さを前記仏像用背板の横幅超とし前後方向の長さを前記仏像用背板の厚み超とする凹部を後縁辺に形成した平板であることを特徴とする。
【００１２】
請求項４に記載の仏壇は、請求項１〜３のいずれかにおいて、前記溝形成部の前端の位置を、平面視で前記側面部の前端より後方に間隔を空けた位置とすることを特徴とする。
【考案の効果】
【００１３】
請求項１〜４のいずれかに記載の仏壇は、仏像を安置する須弥壇に該当する棚板の高さを仏像の大きさに合わせて容易に自在に変更ができ、仏壇の正面奥に位置する背板部の中央域で仏像の背面にあたる領域に仏像用背板を設置することにより前記棚板の高さを自在に変更可能な構造であっても常に仏像を安置する仏の領域を醸し出し荘厳な印象をつくり出すことができる。
【００１４】
前記溝形成部に上下方向で複数の溝を設けているので、安置する仏像や仏具の大きさや数に合わせて、かつそれらを安置したい位置になるように自在に棚板間の間隔を調整することができる。
【００１５】
前記側板部の前記溝形成部が、正面視で前記溝の前端部が露出するように前記側面部より内側に突出しており、平面視で前端部の角形状が円弧状であることにより、棚板を容易に嵌入でき、棚板の嵌入時に棚板や溝形成部にキズを付けにくいという効果を奏する。
【００１６】
前記側板部を、前記側板部と前後方向の長さが同じ側面部と、前記側面部の内側に前記側面部より前後方向の長さが短い溝形成部との形態とし、かつ前記溝形成部の前端の位置を、平面視で前記側面部の前端より後方に間隔を空けた位置とすることによって、仏壇内部からみた側板部の印象を、側板が平板でその平板に溝を形成した簡素な印象に対して、溝形成部をデザイン化させた側板部という印象を与えることができる。
【００１７】
請求項２に記載の仏壇は、前記仏像用背板の大きさを、短手方向の幅を前記仏壇に収納可能な仏像の左右幅以上とし、上下方向の長さを前記背板部の上端から下端までの長さとすることによって、小さい仏像から大きい仏像の背景を網羅できるので仏像の大きさにかかわらず荘厳な印象をつくり出すことができる。
【００１８】
請求項３に記載の仏壇は、棚板と仏像用背板とが接触しないように隙間を形成するので、棚板の嵌設した時に、棚板の後縁辺は、前記後縁辺の左右端部は背板部の表面に当接するが、前記後縁辺の中央部は仏像用背板とは隙間があるので接触しないようにしていることから、前記仏像用背板にキズが発生しにくくするという効果がある。
【図面の簡単な説明】
【００１９】
【図１】本考案の仏壇の棚板を嵌設させた一例の正面視の概要図である。
【図２】本考案の仏壇の棚板を嵌設させた他の例の正面視の概要図である。
【図３】本考案の仏壇の棚板を未嵌設の状態を示す正面視の概要図である。
【図４】図１に示す本考案の仏壇に大きめの仏像を安置した状態を示す正面視の概要図である。
【図５】図２に示す本考案の仏壇に小さめの仏像を安置した状態を示す正面視の概要図である。
【図６】図３における仏壇の左右側板部間のＣ−Ｃ断面を示す断面図である。
【図７】棚板の平面視の概要図である。
【図８】図１における仏壇の左右側板部間のＡ−Ａ断面を示す断面図である。
【図９】図２における仏壇の左右側板部間のＢ−Ｂ断面を示す断面図である。
【考案を実施するための形態】
【００２０】
前側に観音開きの扉を装着した筐体状の仏壇が一般的に流通している。その仏壇は紫檀、黒檀、屋久杉、ケヤキなどの高級木材で造られている。そして、例えば今までは実家の大きな仏壇に安置していた仏像を自宅の仏壇に安置しようとすると仏壇の棚の高さが固定化されているために仏像が仏壇に安置できないという問題があった。本考案は前記問題を解消しかつ仏壇の荘厳さを感じさせる仏壇である。
【００２１】
本考案の仏壇１は、図１、図２、図６に示すように、少なくとも背板部２及び左右の側板部３を有する仏壇１であって、背板部２の前側であって左右方向で中央域に、左右方向が短手で上下方向が長手の平板状で平面視で角を円弧状に形成した仏像用背板４を設け、左右のそれぞれの側板部３を、前記側板部３と前後方向の長さが同じ側面部６と、前記側面部６の内側に前記側面部６より前後方向の長さが短い溝形成部５との構成とし、前記溝形成部５は、略水平状に嵌設する棚板１０の両端部を嵌入可能な溝７を上下方向に複数を形成し、正面視で前記溝７の前端部が露出するように前記側面部６より内側に突出しており、平面視で前端部の角形状が円弧状である仏壇１である。
【００２２】
次に、前記仏像用背板４について説明する。前記仏像用背板４は、図１〜図６に示すように、正面視で仏像８の背景を構成するものであり、左右方向が短手で上下方向が長手の平板状の板であって、平面視で角部１２は円弧形状を形成している。そして、前記仏像用背板４の大きさは、短手方向の幅を前記仏壇１に収納可能な仏像８の左右幅以上とし、上下方向の長さを前記仏像８の高さ以上の長さであって前記背板部２の上端から下端までの長さとする。
【００２３】
また、前記仏像用背板４の厚みは前記仏像用背板４が前記背板部２より張り出して設けられてことに正面視で気が付く厚みが好ましいが、前記背板部２に比較して前記仏像用背板４の印象を強調させることができればよいので、その印象が生じるように前記仏像用背板４の前縁辺の位置を前記背板部２の前縁辺の位置より前方に位置させて平面視で段差があればよい。前記段差により、正面視で左右側には背板部２を見て中央域に前記仏像用背板４が強調された印象を与えることができる。
【００２４】
また、前記仏像用背板４は、前記仏像用背板４の表面を金乾漆で被覆して高級感の印象を与えたり、金紙で被覆してきらびやかさの印象を与えたり、緞子で被覆して上品な質感を与えることができる。これにより、仏壇の背板の構成が、単に背板部２のみの場合に比較して、背板部２の左右方向で中央域に前記仏像用背板４を前方に添設させた状態で設けることによって仏壇１内に安置した仏像８の荘厳感を高めることができる。
【００２５】
次に、前記側板部３について説明する。前記側板部３は、図１、図８、図９に示すように、仏壇１の地板３１と天板３２間の構成要素であり左右にそれぞれ設けられ、側面部６と溝形成部５とから構成されている。側面部６と溝形成部５とは一体的に製作しても、それぞれ別物として製作しその後に合体化させる加工をしてもよい。前記側面部６は一般的な側板に該当するものであり、前記側板部３と前後方向の長さが同じである。そして、一般的な側板には見られない溝形成部５が、一般的に見られる前記側面部６より内側に突設させた形態で形成されている。
【００２６】
前記溝形成部５は、前記側面部６の内側に前記側面部６より前後方向の長さを短くしている。そして、前記溝形成部５には、略水平状に嵌設する棚板１０の両端部を嵌入可能な溝７を上下方向に複数を形成している。これにより、安置する仏像８の大きさによって棚板１０を適する高さに容易に変更できる。また、仏具の大きさによって他の棚板１０の高さを容易に変更することができる。前記溝７の高さや数は、市場に流通している仏像８の大きさを考慮して設定する。
【００２７】
また、図１、図６に示すように、正面視で前記溝形成部５の前記溝７の前端部２０が露出するように前記側面部６より内側に突出させる。これにより、前記溝７の前端部２０を視認できやすいという効果がある。さらに、平面視で前記前端部２０の角形状を円弧状に形成しているので、棚板１０を嵌入しやすいという効果がある。
【００２８】
また、前記溝形成部５の前端部２０の前後方向の位置を、図６に示すように、平面視で前記側面部６の前端より後方に間隔Ｇを空けた位置とする。このように、間隔Ｇを設けたことにより、前記溝形成部５は側面部６とは異なる構成要素であるという印象を与えることができ、前記側板部３にデザイン的にアクセントを与えることができ、仏壇１の前側の開口部を狭くしたという印象を与えることもないという効果を奏する。
【００２９】
次に、棚板１０について説明する。前記棚板１０は、図７に示すように、平面視で中央部に左右方向の長さを前記仏像用背板４の横幅超とし前後方向の長さを前記仏像用背板４の厚み超とする凹部１３を後縁辺に形成した、平面視で左右方向を長手とし前後方向を短手とする平板である。また、棚板１０の角部１１はすべて円弧状に形成している。この円弧状に形成したことにより、棚板１０を溝７に嵌入しやすくするという効果がある。
【００３０】
前記溝７の高さにおける断面を図９に示し、前記溝７の上下方向の間であって前記溝７が形成されていない部位の断面を図８に示している。前記凹部１３が形成されていることにより、図８、図９に示すように、棚板１０を背板部２まで嵌入させたときに、前記棚板１０の後縁辺と前記仏像用背板４の前縁辺との間には隙間９が形成されるので、前記前記棚板１０が前記仏像用背板４に接触することはない。これにより、前記仏像用背板４の表面にはキズが付きにくいという効果がある。
【００３１】
前記棚板１０が嵌入されていない状態を図３に示し、前記棚板１０を２枚嵌入させた事例で上側の棚板１０を下方の溝７に嵌入させた事例を図１や図４に示し、上側の棚板１０を上方の溝７に嵌入させた事例を図２や図５に示している。例えば、図４に示すように比較的大きな仏像８を安置する場合には前記棚板１０を下方の溝７に嵌入させ、図５に示すように比較的小さな仏像８を安置する場合には前記棚板１０を上方の溝７に嵌入させる。これにより、仏像８の大きさに適する空間を提供することができる。
【符号の説明】
【００３２】
１        仏壇
２        背板部
３        側板部
４        仏像用背板
５        溝形成部
６        側面部
７        溝
８        仏像
９        隙間
１０      棚板
１１      角部
１２      角部
１３      凹部
２０      前端部
３１      地板
３２      天板
Ｇ        間隔
【図１】
0003217643.tif 000003
【図２】
0003217643.tif 000004
【図３】
0003217643.tif 000005
【図４】
0003217643.tif 000006
【図５】
0003217643.tif 000007
【図６】
0003217643.tif 000008
【図７】
0003217643.tif 000009
【図８】
0003217643.tif 000010
【図９】
0003217643.tif 000011